(57)【要約】　　　（修正有）【課題】遠隔地にいてもデジタル放送端末の制御およびデータの参照を行う。【解決手段】デジタル放送受信機に使用者のデータ監視要求を解析、記憶する手段４０４、４１０とデータ放送の内容を監視する手段４０６を持たせ、使用者と受信機が電子メールで通信を行うことによって情報の授受、受信機の制御を行う。【選択図】　図４
2004023222.tif 000002
【特許請求の範囲】
【請求項１】
外部の汎用ネットワークから電子メールを受信する手段と、前記電子メールの内容を解析する解析手段を有し、前記電子メールによって制御を行うテレビジョン受信機。
【請求項２】
デジタル放送受信機であって、外部の汎用ネットワークを介して電子メールを送受信する手段と、前記電子メールの内容を解析する手段と、デジタル放送受信機の内部状態を電子メール化する手段とを有し、外部の汎用ネットワークを介して双方向通信を行うデジタル放送受信機。
【請求項３】
デジタル放送受信機であって、電子メールの内容を解析することによって接続されている機器の制御、および状態の監視を行う制御手段を有する、請求項１記載のデジタル放送受信機。
【請求項４】
デジタル放送受信機であって、データ放送の蓄積手段と、使用者のデータ監視要求を解析、記憶する手段と、前記データ放送の内容を監視する手段と、使用者の監視要求に従って、電子メールを送信する手段とを有する請求項２記載のデジタル放送受信機。
【請求項５】
デジタル放送受信機であって、外部の汎用ネットワークから、使用者のデータ監視要求を受信する手段と、前記データ監視要求を記憶する手段と、前記データ監視要求に従って、使用者に電子メールを送信する機能を有する請求項４記載のデジタル放送受信機。
【発明の詳細な説明】
【０００１】
【発明の属する技術分野】
本発明は、デジタル放送対応テレビジョン受信機に関するものである。
【０００２】
【従来の技術】
従来のテレビジョン受信機では、課金情報等の情報を送受信するための通信機能は有していたが、使用者自身が自由に使用できるものではなかった。
【０００３】
また、汎用のネットワークに接続する機能がなく、基本的に放送波から受信する情報に対しては受信機で処理が完結しており、放送がデジタル化することによって増加する情報に対して、利便性が十分得られていなかった。特に受信機が高機能化し多くの情報を蓄積できる機能があることに対して、利用者がその情報を容易に活用しにくいという問題があった。
【０００４】
また、従来の技術としては特開２００１ー１３６４５２号に記載されたものが知られている。
【０００５】
ここで、従来のテレビジョン受信機について図１を用いて簡単に説明を行う。放送波からチューナ１０１を介してデータを受信し、受信したデータをデコードして番組表を抽出するデコーダ１０２、その番組表データをＣＰＵ１０３を介してメモリ１１０に蓄積する手段を持ち、メモリに蓄積された番組表データを送受信するモデム等の通信手段１０４から構成されている。
【０００６】
【発明が解決しようとする課題】
しかしながら、上記のような構成では、番組表データの送受信には対応できるが、使用者の監視要求の記憶、解析する機能を有しないため、利便性が十分に得られていないなどという問題があった。
【０００７】
【課題を解決するための手段】
前記課題を解決するために、本発明はデジタル放送受信機に使用者のデータ監視要求を解析、記憶する手段とデータ放送の内容を監視する手段と、使用者と受信機が電子メールで通信を行うことで情報の授受並びに受信機の制御を行う手段、とを有している。
【０００８】
本構成により、電子メールという汎用的手段を用いて使用者と受信機が通信を行うことによって使用者の利便性を向上することができる。
【０００９】
【発明の実施の形態】
本発明の請求項１に記載の発明は、外部の汎用ネットワークから電子メールを受信する手段と、前記電子メールの内容を解析する解析手段を有し、前記電子メールによって制御を行うテレビジョン受信機であり、使用者が受信機を直接制御しなくても、遠隔で操作できるという機能を有する。
【００１０】
請求項２に記載の発明は、外部の汎用ネットワークを介して電子メールを送受信する手段と、前記電子メールの内容を解析する手段と、デジタル放送受信機の内部状態を電子メール化する手段とを有し、外部の汎用ネットワークを介して双方向通信を行うデジタル放送受信機であり、使用者が受信機を直接制御しなくても、遠隔で操作および情報を入手する機能を有する。
【００１１】
請求項３に記載の発明は、電子メールの内容を解析することによって接続されている機器の制御、および状態の監視を行う制御手段を有する、請求項１記載のデジタル放送受信機であり、使用者が受信機を直接制御しなくても、遠隔で受信機を操作する機能を有する。
【００１２】
請求項４に記載の発明は、データ放送の蓄積手段と、使用者のデータ監視要求を解析、記憶する手段と、前記データ放送の内容を監視する手段と、使用者の監視要求に従って、電子メールを送信する手段とを有する請求項２記載のデジタル放送受信機であり、使用者が任意のデータを監視できる機能を有する。
【００１３】
請求項５に記載の発明は、外部の汎用ネットワークから、使用者のデータ監視要求を受信する手段と、前記データ監視要求を記憶する手段と、前記データ監視要求に従って、使用者に電子メールを送信する機能を有する請求項４記載のデジタル放送受信機であり、使用者が受信機を直接制御しなくても、遠隔で任意のデータを監視できる機能を有する。
【００１４】
（実施の形態１）
以下に、本発明の請求項１および請求項２、請求項３に記載された発明の実施の形態について、図２を参照しながら説明する。チューナ２０１からのデータはデコーダ２０２によってデコーダされＣＰＵ２０３によりメモリ２０７に記憶される。ネットワークからの電子メールが電子メール解析手段２０４によって解析され、ＣＰＵ２０３に解析結果が送られる。ＣＰＵ２０３は解析結果をもとに制御手段２０８の制御を行う。このような構成をとることによって、デジタル放送受信機のネットワークを介した遠隔操作が可能である。制御手段２０８からの制御は電源の制御等のデジタル放送受信機内部の制御を行うことが可能であるが、制御手段をデジタル放送受信機に接続された機器も制御可能な構成にすることにより、デジタル放送受信機以外の機器の遠隔操作も可能である。
【００１５】
（実施の形態２）
以下に、本発明の請求項１および請求項２、請求項４に記載された発明の実施の形態について、図３を参照しながら説明する。チューナ３０１からのデータはデコーダ３０２によってデコーダされＣＰＵ３０３によりメモリ３０７に記憶される。また、機器の状態は監視手段３０６よってモニタされ、ＣＰＵに通知される。ＣＰＵに通知されたデータは電子メール生成手段３０４よってフォーマット化され、通信手段３０５によりネットワークに送られる。このとき監視手段がメモリ３０７の内容も監視できる構成にすることにより、放送波によって送られてくるデータ内容が変化したことを通知することが可能である。監視手段３０６はハードによらずソフト的に実装してもよい。また、通信手段３０５は、モデム、イーサネット等の汎用的な通信手段で構成可能である。接続するネットワークはインターネット等の汎用ネットワークでも良いが、ＰＤＡ等に対する一対一通信でも良い。株価情報等の刻々変化する情報を監視しておけば、必要な情報が容易に入手可能である。
【００１６】
（実施の形態３）
以下に、本発明の請求項１および請求項２、請求項５に記載された発明の実施の形態について、図４を参照しながら説明する。チューナ４０１からのデータはデコーダ４０２によってデコーダされＣＰＵ４０３によりメモリ４０７に記憶される。ネットワークからの電子メールが電子メール解析手段４０４によって解析され、ＣＰＵ４０３に解析結果が送られる。ＣＰＵ４０３に送られたデータは要求記憶メモリ４１０に記憶される。機器の状態は要求記憶メモリ４１０に従って、監視手段４０６よってモニタされ、ＣＰＵに通知される。ＣＰＵに通知されたデータは電子メール生成手段４０８よってフォーマット化され、通信手段４０５によりネットワークに送られる。このとき監視手段がメモリ４０７の内容が監視できる。このような構成をとることによって、使用者が受信機を直接制御しなくても、遠隔で任意のデータを監視することができる。監視手段４０８はハードによらずソフト的に実装してもよい。また、通信手段４０５は、モデム、イーサネット等の汎用的な通信手段で構成可能である。接続するネットワークはインターネット等の汎用ネットワークでも良いが、ＰＤＡ等に対する一対一通信でも良い。
【００１７】
【発明の効果】
以上説明したように、本発明によれば、デジタル放送受信機に使用者のデータ監視要求を解析、記憶する手段とデータ放送の内容を監視する手段を持たせ、使用者と受信機が電子メールで通信を行うことによって情報の授受、受信機の制御を行い、使用者の利便性を向上することができる。
【図面の簡単な説明】
【図１】従来の技術の概略的ブロック図
【図２】本発明の実施の形態１における概略的ブロック図
【図３】本発明の実施の形態２における概略的ブロック図
【図４】本発明の実施の形態３における概略的ブロック図
【符号の説明】
１０１、２０１、３０１、４０１　チューナ
１０２、２０２、３０２、４０２　デコーダ
１０３、２０３、３０３、４０４　ＣＰＵ
１１０、２０７、３０７、４０７　メモリ
２０８、４０９　制御手段
２０４、３０４，４０４　電子メール解析手段
２０５、３０５、４０５　通信手段
３０６、４０６　監視手段
４０８　電子メール生成手段
４１０　要求記憶メモリ
【図１】
2004023222.tif 000003
【図２】
2004023222.tif 000004
【図３】
2004023222.tif 000005
【図４】
2004023222.tif 000006